(57)【要約】【課題】既設構造物上に新規構造物を成形して嵩上げする場合に、モルタル製の中継ぎ材を用いて海水による錆等の影響を受けることのない嵩上げ構造体に構成するので、強度性が経年低下することが無いし、耐久性に優れた嵩上げ構造体及びその成形法を提供する。【解決手段】嵩上げ堤体１は、水中に構築したコンクリート製の既設堤状物２上にコンクリート製の新規堤状物６を打設して構成してある。既設堤状物２の上面２Ｃにはモルタル製の中継ぎ材３を適宜の間隔で複数配設してある。中継ぎ材３は上部側の埋入部３Ｄが上面２Ｃから突出するように軸部３Ａの下半分を既設堤状物２に挿着してあり、埋入部３Ｄは既設堤状物２上に成形する新規堤状物６に埋入した状態になり、既設堤状物２と新規堤状物６を一体化している。【選択図】図１
2016199909.tif 000002
【特許請求の範囲】
【請求項１】
水中に構築したコンクリート製の既設構造物上にコンクリート製の新規構造物を打設して構成する嵩上げ構造体であって、上部側の埋入部が前記既設構造物の上面から突出する状態で該既設構造物にモルタル製の中継ぎ材を適宜の間隔で複数配設し、前記新規構造物は前記埋入部が埋入した状態で成形してある嵩上げ構造体。
【請求項２】
前記中継ぎ材は、軸部の上部側に頭部を形成して前記埋入部とする形状からなる請求項１記載の嵩上げ構造体。
【請求項３】
前記中継ぎ材は、横軸部と一対の挿着軸部とから冂字状に形成して前記埋入部とする形状からなる請求項１記載の嵩上げ構造体。
【請求項４】
前記中継ぎ材は、軸部の上端側を横向きの折曲部に形成して前記埋入部とする形状からなる請求項１記載の嵩上げ構造体。
【請求項５】
前記中継ぎ材は、モルタルに非金属製繊維質材からなる補強材を混入して成形したものである請求項１記載の嵩上げ構造体。
【請求項６】
水中に構築したコンクリート製の既設構造物の上面に適宜の間隔で挿着孔を穿設する工程と、該挿着孔に上部側の埋入部が突出する状態でモルタル製の中継ぎ材を挿着する工程と、前記既設構造物上に型枠を設置する工程と、該型枠内にコンクリートを打設して前記埋入部が埋まる状態に新規構造物を成形する工程と、該新規構造物が硬化した後前記型枠を撤去する工程とからなる嵩上げ構造体の成形法。
【発明の詳細な説明】
【技術分野】
【０００１】
本発明は、岸壁、防波堤、ダムの突堤等のコンクリート製構造物を嵩上げする場合に中継ぎ材を用いることで強度性を高めた嵩上げ構造体及びその成形法に関する。
【背景技術】
【０００２】
例えば、港湾に設置する防波堤は、海水により鉄筋が発錆する悪影響を考慮して鉄筋を用いずにコンクリートのみで海底地盤に成形し、安定性はその重量で図っている。ところで、近年の気候温暖化による海面の上昇を原因として、また自然による或いは地震による地盤沈下によって防波堤が設置当初の高さでは十分でなくなり、防波堤としての機能を果たすことが出来なくなる事態が生じている。
【０００３】
そこで、既設のコンクリート製防波堤の上面に新規の堤体を積層形成して嵩上げすることが行われている。しかし、経年劣化している既設防波堤に新規堤体を単に積層した構成では既設防波堤に新規堤体が完全に一体化することは出来ないことから、暴風雨時の波力に対する強度性は十分に確保することは出来ない。そこで、既設防波堤に上面から鉄筋等の鋼材からなる中継ぎ材を略上半分が突出する程度の長さに打ち込み、既設防波堤の上にコンクリートを打設して新規堤体を成形することで新規堤体を繋ぎ止める構成にして強度性を確保しつつ防波堤の嵩上げを行っている。
【先行技術文献】
【特許文献】
【０００４】
【特許文献１】見出せず。
【発明の概要】
【発明が解決しようとする課題】
【０００５】
しかし、既設防波堤は年と共に表面が風化して損傷しており、このため既設防波堤と新規堤体との継合せ面に隙間が形成されることは避けられず、この隙間から浸入する海水によって鋼材からなる中継ぎ材が腐食する現象が生じている。これにより中継ぎ材は強度性が次第に低下する、発錆した中継ぎ材の膨張圧により既設防波堤が爆裂して亀裂が形成されて耐久性や強度性が低下する、中継ぎ材の強度性が低下することによって新規堤体が暴風雨の風力や波力によって移動したり、浮上がる現象が生じるといった問題があり、再度補強工事が必要になるという欠点がある。
【０００６】
本発明は上述した従来技術の諸欠点に鑑みなされたもので、既設構造物上に新規構造物を成形して嵩上げする場合にモルタル製の中継ぎ材を用いて海水の影響を受けることのない嵩上げ構造体に構成するので、強度性が経年低下することが無いし、耐久性に優れた嵩上げ構造体及びその成形法を提供することを目的とする。
【課題を解決するための手段】
【０００７】
上述した課題を解決するために構成した請求項１に係る本発明の手段は、水中に構築したコンクリート製の既設構造物上にコンクリート製の新規構造物を打設して構成する嵩上げ構造体であって、上部側の埋入部が前記既設構造物の上面から突出する状態で該既設構造物にモルタル製の中継ぎ材を適宜の間隔で複数配設し、前記新規構造物は前記埋入部が埋入した状態で成形したことにある。
【０００８】
そして、前記中継ぎ材は、軸部の上部側に頭部を形成して前記埋入部とする形状にするとよい。
【０００９】
また、前記中継ぎ材は、横軸部と一対の挿着軸部とから冂字状に形成して前記埋入部とする形状にするとよい。
【００１０】
また、前記中継ぎ材は、軸部の上端側を横向きの屈曲部に形成して前記埋入部とする形状にするとよい。
【００１１】
更に、前記中継ぎ材は、モルタルに非金属製繊維質材からなる補強材を混入して成形したものにするとよい。
【００１２】
また、請求項６に係る本発明は、水中に構築したコンクリート製の既設構造物の上面に適宜の間隔で挿着孔を穿設する工程と、該挿着孔に上部側の埋入部が突出する状態でモルタル製の中継ぎ材を挿着する工程と、前記既設構造物上に型枠を設置する工程と、該型枠内にコンクリートを打設して前記埋入部が埋まる状態に新規構造物を成形する工程と、該新規構造物が硬化した後前記型枠を撤去する工程とからなる。
【発明の効果】
【００１３】
本発明は上述の如く構成したから下記の諸効果を奏する。
（１）既設構造物と新規構造物はモルタル製の中継ぎ材で繋ぐ構成にしたから、中継ぎ材が発錆して強度性が低下することによる新規構造物の既設構造物との一体性が失われるといった問題を解消できる。
（２）中継ぎ材はモルタルで成形し、発錆による膨張圧で既設構造物を爆裂して亀裂を形成するといった問題を解消したから、既設構造物の強度性と耐久性を維持することができる。
（３）中継ぎ材の埋入部は、軸部の上部側に頭部を形成した形状にしたから、埋入部は新規構造物に確実に係着するので新規構造物を既設構造物に対して確実に固定することができる。
（４）中継ぎ材の埋入部は、横軸部と一対の挿着軸部とから冂字状に形成した形状にしたから、埋入部が新規構造物に確実に係着するので新規構造物を既設構造物に対して確実に固定することができる。
（５）中継ぎ材の埋入部は、軸部の上部側に横向きの折曲部を形成した形状にしたから、埋入部が新規構造物に確実に係着するので新規構造物を既設構造物に対して確実に固定することができる。
（６）中継ぎ材は、モルタルに非金属製繊維質材からなる補強材を混入して成形したから、強度性に優れており新規構造物を既設構造物に強固に固定することができる。
【図面の簡単な説明】
【００１４】
【図１】図１乃至図４は本発明の第１の実施の形態に係り、図１は嵩上げ堤体の部分縦断面図である。
【図２】中継ぎ材の全体構成図である。
【図３】既設堤体に中継ぎ材を植設する説明図である。
【図４】中継ぎ材を配設した既設堤体上に新規堤体を形成する工程図である。
【図５】図５及び図６は第２の実施の形態に係り、図５は中継ぎ材の全体構成図である。
【図６】嵩上げ堤体の部分縦断面図である。
【図７】第３の実施の形態に係る中継ぎ材の全体構成図である。
【発明を実施するための形態】
【００１５】
以下、本発明の実施の形態を図１乃至図４に基づき詳述する。図において、１は本実施の形態に係る嵩上げ堤体、２は該嵩上げ堤体１を構成し、港湾の海底地盤に構築したコンクリート製の既設堤状物で、該既設堤状物２は外海に面する前面２Ａ、湾内に面する後面２Ｂ及び上面２Ｃとから、上部側が略台形状をなしている。
【００１６】
３は前記既設堤状物２の上面２Ｃに植設する中継ぎ材を示す。該中継ぎ材３は軸部３Ａと、該軸部３Ａの上端に形成した四角形の頭部３Ｂと、軸部３Ａの外面に形成した螺旋状のモルタル流動溝３Ｃとから全長約４０ｃｍに成形したものからなり、例えばカーボン繊維、アラミド繊維、ガラス繊維等の高抗張力を有する非腐食性繊維材を混合して強度性を高めたモルタルにより一体成形してある。そして、中継ぎ材３は軸部３Ａの略半分の長さと頭部３Ｂを含む上部側を埋入部３Ｄとしてある。
【００１７】
上述の構成からなる中継ぎ材３は、図３に示すように既設堤状物２の上面２Ｃに以下の工程により適宜の間隔で配設する。先ず、既設堤状物２の上面２Ｃにドリルで複数個の挿着孔４を穿設し、該各挿着孔４に水中不分離性モルタルを充填する。しかる後、埋入部３Ｄが上面２Ｃから突出する状態にして中継ぎ材３の略下半分、２０ｃｍ程度を挿着孔４に挿入してモルタルを硬化させることにより植設する。
【００１８】
次に、図４に示すように、既設堤状物２の上部側に型枠パネル５Ａ、５Ａ、・・を組み付けてコンクリート成形型枠５を形成し、型枠５内にセメントを充填して硬化させることで、既設堤状物２の上にコンクリート製の新規堤状物６を成形する。これにより、新規堤状物６は下部側に中継ぎ材３の頭部３Ｂを含む埋入部３Ｄが埋設された状態なり、既設堤状物２と新規堤状物６とは中継ぎ材３によって強固に連結した状態になる。
【００１９】
かくして、既設堤状物２と新規堤状物６が中継ぎ材３によって強固に連結されて一体化した嵩上げ堤体１に構成できる。これにより、新規堤状物６と既設堤状物２との間に海水が浸入して浸蝕する事態や、新規堤体６が暴風雨の波力や風力によって位置ずれし、或いは浮上がる事態を確実に防止できるので高い耐久性を持つことができる。
【００２０】
図５は第２の実施の形態に係る中継ぎ材１１を示す。該中継ぎ材１１は横軸部１１Ａと、該横軸部１１Ａの両端から下向きに屈曲した一対の挿着軸部１１Ｂ、１１Ｂと、該各挿着軸部１１Ｂの外周面に設けた複数のモルタル流入溝１１Ｃ、１１Ｃとから構成してあり、横軸部１１Ａと一対の挿着軸部１１Ｂ、１１Ｂの略上半分は埋入部１１Ｄとしてある。そして、中継ぎ材１１はカーボン繊維、アラミド繊維、ガラス繊維等の高抗張力を有する非腐食性繊維材を混合したモルタルにより一体に成形してある。
【００２１】
本実施の形態の中継ぎ材１１は上述の構成からなり、第１の実施の形態と同様に、既設堤状物２の上面２Ｃに一対の挿着孔１２、１２を複数穿設し、各対の挿着孔１２、１２にモルタルを充填した後中継ぎ材１１の挿着軸部１１Ｂ、１１Ｂを挿入し、埋入部１１Ｄが既設堤状物２の上面２Ｃから突出した状態にして既設堤状物２に中継ぎ材１１を配設する。
【００２２】
既設堤状物２上に中継ぎ材１１を設けた後の工程は第１の実施の形態と同様で、中継ぎ材１１の埋入部１１Ｄが新規堤状物６に埋設した状態になることで既設堤状物２と新規堤状物６は強固に結合することができる。
【００２３】
図７は第３の実施の形態に係るモルタル製の中継ぎ材を示す。該中継ぎ材１３は軸部１３Ａと、該軸部１３Ａの上端側を略直角に折り曲げて形成した折曲部１３Ｂと、軸部１３Ａの中間から下端側の外面に形成したモルタル流動溝１３Ｃとから形成してあり、軸部１３Ａの上半分と折曲部１３Ｂは埋入部１３Ｄとしてある。
【００２４】
本実施の形態に係る中継ぎ材１３は上述の構成からなり、既設堤状物２の上面２Ｃに埋入部１３Ｄが突出する状態で配設する。この場合、各中継ぎ材１３の折曲部１３Ｂの方向をランダムにすることで、新規堤状物６は暴風雨の場合に強大な波力や風力が多様な方向から打ち寄せ、或いは吹付けても強度性を持つことができる。
【００２５】
なお、中継ぎ材３、１１、１３の成形に用いるモルタルには、耐塩害性、耐凍害性、化学抵抗性及びひび割れ抵抗性に優れている「高炉スラグ、繊維入りポリマーセメントモルタル」商品名「エフモル」（登録商標）を用いることで、強度性、耐久性に優れた嵩上げ構造体に構成できる。
【符号の説明】
【００２６】
１      嵩上げ堤体（嵩上げ構造体）
２      既設堤状物
２Ｃ    上面
３、１１、１３      中継ぎ材
３Ｄ、１１Ｄ、１３Ｄ    埋入部
４、１２      挿着孔
５      型枠
【図１】
2016199909.tif 000003
【図２】
2016199909.tif 000004
【図３】
2016199909.tif 000005
【図４】
2016199909.tif 000006
【図５】
2016199909.tif 000007
【図６】
2016199909.tif 000008
【図７】
2016199909.tif 000009